(57)【要約】      （修正有）【課題】地震などで柱が傾いても引寄せボルトを柱の固定金物へ係合しているナットが固定金物の係合端面を柱側へ滑る量が少なく、引抜き力が予定しない方向に作用するのを防止する。【解決手段】柱２に取付ける固定金物７は引寄せボルト８を挿通し、その端部に螺合したナット９を係合する係合部１１を有する。ナット９が係合する係合端面に段部１８を、背板部１０寄りに設け、柱２が傾斜したとき、締付けてあるナット９が緩み、ナット９が係合端面を背板部１０側へ滑る量を段部１８で制限する。一方、柱２が大きく傾斜したときには、ナット９が段部１８の上面に載り上がって、浮き上がったナット９と係合端面間に隙間が生じないようにする。【選択図】図２
0003123534.tif 000002
【実用新案登録請求の範囲】
【請求項１】
柱へ固定する固定金物と引寄せボルト及びナットを備え、固定金物は、背板部と筒状の係合部を一体に備え、筒状の係合部は横断面がＵ字となる筒状であって、背板部から側方へ張り出しており、張り出し寸法は、使用する工具が柱に最も接近して使用することができる「柱に対する接近限度寸法」以上であり、筒状係合部のナット係合側端面の背板部寄りを一段高く段部に形成してあることを特徴とした引寄せ金物。
【請求項２】
段部は角部が丸く形成されていることを特徴とした請求項１に記載の引寄せ金物。
【考案の詳細な説明】
【技術分野】
【０００１】
本考案は、木造軸組工法住宅において、柱と横架材とを接合する引寄せ金物に関する。
【背景技術】
【０００２】
一般的な木造軸組工法住宅では、柱と横架材の接合個所を引寄せ金物で補強することが耐震補強をする上で有効である。引寄せ金物には、背板部に筒状の係合部を一体に取付けた固定金物と引寄せボルト及びナットからなるものがある。この金物は背板部を柱に固定し、筒状の係合部に引寄せボルトを挿通してその先端を横架材に固定すると共に、基部にナットを螺合し、そのナットを筒状係合部の端面（係合端面）に係合させ、これをインパクトレンチのような回転工具により回転して締付ける。
【０００３】
柱と横架材との関係において、横架材が土台である場合には、引寄せボルトはコンクリート基礎に基部を固定されたアンカーボルトそのものであったり、これと長ナットなどで連結されるつなぎのボルトであったりする。
また、既存住宅の耐震補強として引寄せ金物を利用するとき、既存の土台を貫通してコンクリート基礎にいたる孔を穿ち、これに新たなアンカーボルトを固定して引寄せボルトとすることがある。
【０００４】
アンカーボルトにナットを螺合させて締付けるときや新たなアンカーボルトを埋め込むために土台や基礎に孔を形成するときは、インパクトレンチや振動ドリルなどの工具を用いる。このとき、アンカーボルトの位置やアンカーボルト用に孔を穿孔する位置が柱に近すぎると、これらの工具にはモーター等駆動機構を納めた本体部分やチャック部分に一定の大きさがあるので、工具を正しい姿勢で使用できない。すなわち、これらの工具には、柱へ近づけて正しい姿勢で使用できる距離に限度がある。その工具の柱に最も接近して使用できる距離を「柱に対する接近限度寸法」と称することとする。
このため、固定金物の筒状の係合部は、引寄せボルトの位置や、アンカーボルト用に形成する孔の位置が「柱に対する接近限度寸法」以上となるよう柱面から大きく張出して構成される。特許文献１、２はその例である。
【０００５】
【特許文献１】特開２００２−２９４８６９号公報
【特許文献２】特開２００２−３３９４５６号公報
【考案の開示】
【考案が解決しようとする課題】
【０００６】
地震の揺れで柱が傾斜すると、引寄せボルトは引抜き（アンカーボルトと反対側への傾斜）と屈曲弛緩（アンカーボルト側への傾斜）の作用を繰り返し受ける。しかし、筒状の係合部を長く張出させると、屈曲弛緩のとき、筒状係合部の端面に係合しているナットが突き出される傾向となって、ワッシャーとともに係合端面を背板部側へ滑ることがある。そして、次に柱が反対側へ傾斜したときに元の位置にもどるのではなく、その位置から引抜き力を受け、土台、アンカーボルト、基礎などに予定しない方向で引抜き力が作用することがある。
【０００７】
また、柱が傾斜したとき引寄せボルトを係合しているナットが筒状係合部の係合端面から浮き上がってしまうと、次に引抜き力が作用したとき、その初期に引抜き抵抗がまったくなく、引抜き力が衝撃的に作用するので、係合端面とナットとの間に隙間が生じるのも好ましくない。
この発明は、引寄せボルトを固定金物の係合端面へ係合しているナットが、係合端面を背板部側へ滑り移動するのを抑制し、予定しない方向からの引抜き力による破壊や接合部の弱体化を防止する。また、柱の傾斜が大きな場合にも係合端面との間に間隙が生じないようにして引抜き力が衝撃的に作用しないようにする。
【課題を解決するための手段】
【０００８】
柱へ固定する固定金物と引寄せボルト及びナットで構成する。固定金物は、背板部と筒状の係合部を一体に有する。筒状の係合部は断面Ｕ字状であり、背板部から側方に張出させる。その張出し寸法は、この筒状係合部の最も外側（柱から遠い側）に配置できる引寄せボルトの位置が、この引寄せボルトの取付けに使用する工具の「柱に対する接近限度寸法」のうち最も大きなもの以上とする。そして、筒状係合部のナットが係合する側の係合端面の背板部寄りに段部を形成する。
【考案の効果】
【０００９】
地震の揺れで柱が傾斜して、引寄せ金物の係合端面に係合させたナットが係合端面を滑ることがあっても、段部に衝突して停止する。このため、固定金物における筒状係合部の張出し量が大きくてもナットの位置が大きく変位することがなく、予定しない方向に引抜き力が作用することがない。
また、柱の傾斜が大きくて、前記屈曲弛緩のときにナットが浮き上がるような場合は、ナットがワッシャーと共に段部の上面に載り上がり、係合端面とナットとの間に間隙が生じるのを防止する。そして、柱の傾斜がもとに戻るとき、ナットはワッシャーと共に段部から滑り落ち、もとの位置となる。このため、引抜き力が衝撃的に作用することが防止される。
【考案を実施するための最良の形態】
【００１０】
図１は、この考案による引寄せ金物１を柱２と土台３（横架材）の接合個所に使用した例を示している。土台３はコンクリート基礎４にアンカーボルト５で固定されている。柱２は土台３に載置されてほぞ結合されると共に、この結合個所がボックス形のコーナー金物６と引寄せ金物１とで、耐震補強されている。コーナー金物６は、柱２に横方向の力（せん断力）が作用するときのせん断抵抗金物であり、引寄せ金物１は柱２を土台３から引抜こうとする力に対抗する引抜き抵抗金物である。
【００１１】
引寄せ金物１は、図２のように、柱２に取付ける固定金物７と引寄せボルト８及びナット９を備える。固定金物７は背板部１０に筒状の係合部１１を一体に溶接した構造であり、これらはこの実施例において、背板部１０は３、２ｍｍ厚、筒状の係合部１１は、４.５ｍｍ厚の鋼板をプレス加工して横断面Ｕ字形の筒状に構成してある。背板部１０は両側壁を備えた細長い断面コ字形のチャンネル状で、底壁（柱２の面に固定する部分）に複数のビス孔を有する。
【００１２】
筒状の係合部１１は、背板部１０から側方に突出している。その張出し寸法ｄ０（図３イ）は、最も外側に配置できる引寄せボルト８ａの位置（柱面からの軸心位置ｄ１）がこの引寄せ金物の取付けに使用する工具（例えば、インパクトレンチ）の「柱面に対する接近限度寸法」（通常４０〜６０ｍｍ）の一番大きな寸法ｄ２（図３ロ）以上である。図３ロは、柱２に沿わせたインパクトレンチ１２（工具）を下面から見た平面図であり、符号１３はソケットで、ナット９に係合しインパクトレンチ１２のモーターで回転される。寸法ｄ２は、柱２の面からソケット１３の回転軸線までの距離である。
【００１３】
引寄せボルト８は、この実施例において、両端部を雄ネジ部としており、基部側に長ナット１４が、先端側にワッシャー１５を介してナット９が螺合される。長ナット１４は、コンクリート基礎４に基部を固定したアンカーボルト１６（図１）の先端と引寄せボルト８とを連結するためのものである。アンカーボルト１６は、既存のアンカーボルト５に追加して配設した新設アンカーボルトである。
【００１４】
そして、係合部１１のナット９が係合する側の端面（係合端面）には、図２のように、背板部１０側に段差面１７をもって一段高くなった段部１８が形成される。係合部１１の他の端面は背板側へ向けて長く傾斜した面１９に形成されている。段差面１７の高さはワッシャー１５の厚さ程度であり、長さはこの実施例において１４ｍｍである。傾斜面１９は、固定金物７に引寄せボルト８を介して強い引抜き力が作用したとき、筒状の係合部１１が変形してしまうのを支える機能がある。
【００１５】
さて、この引寄せ金物１は、図１のように、背板部１０を柱２の側面へビス止めすることにより、固定金物７を柱２に固定し、固定金物７の係合部１１に引寄せボルト８を差し込んでその基部を長ナット１４を利用して新設のアンカーボルト１６と連結する。コーナー金物６は、底壁に長孔が形成されていて、新設アンカーボルトの先端は、土台３の上面に突出している。
ついで、引寄せボルト８の係合部１１から突出している先端部にワッシャー１５と共にナット９を螺合し、ナット９を係合端面に係合させた状態で、ソケット１３を装着したインパクトレンチ１２で締付ける。この作業は引寄せボルト８の位置を柱２の側面から充分に距離を取った「柱面に対する接近限度位置」以上に設定してあるので、インパクトレンチを適正な姿勢で楽に行うことができる。
【００１６】
このようにして、柱２と土台３との接合個所はコーナー金物６と引寄せ金物１とで耐震補強される。
地震があって、柱２が傾斜する場合を引寄せ金物１について見ると、当初、図４のように係合部１１の係合端面に水平に係合していたナット９は、柱２が傾斜すると、固定金物７の係合部先端が下方へ移動するので、土台３の上面との距離が短くなり、ナットは緩み傾向となるがその分、係合端面を上方ヘすべり係合端面との接触を維持する。このため、柱２に対する引抜き力に対してすぐに対抗することができる。しかし、その移動はワッシャー１５が段差面１７に衝突してナット９の移動が阻止されるので（図５）、制限されており、ナット９が係合端面を背板部１０近くまで移動して、予定しない方向に引抜き力が作用するのを防止する。
【００１７】
柱２の傾斜が大きくなるとワッシャー１５とナット９は、係合部１１の係合端面との接触を維持できなくなり、係合端面から浮き上がる状態になる。すると、ワッシャー１５とナット９は段差面１７を滑り上がって段部１８の上面に載り（図６）、係合部１１との接触が維持される。そのため、係合部１１との間に間隙の生じることが防止されて、引抜き力が衝撃的に作用することがない。
このため、段部１８の角部１８ａは、図２に拡大して示すように、丸みを持たせて形成してある。
なお、段部の上面に上がったワッシャー１５とナット９は、柱２が反対方向に傾斜すると段差面１７をすべり落ちてもとの位置にもどる。
【００１８】
以上、実施例について説明した。実施例はこの発明の引寄せ金物１を柱脚個所に使用した例であるが、柱頭個所でも、上下が逆になるが、同様に使用することができる。コーナー金物６は図示のものに限らず、これに替えて種々のせん断抵抗金物を利用できる。固定金物７の背板部１０の形態は図のものに限定されないし、引寄せボルト８はコンクリート基礎４に固定されたアンカーボルト５そのもののこともある。また、この引寄せ金物１は、新築、既存にかかわらず木造軸組工法住宅で使用することができる。
【図面の簡単な説明】
【００１９】
【図１】引寄せ金物の使用例を示した斜視図。
【図２】引寄せ金物を分解して示す斜視図（一部を引き出して拡大）。
【図３】イは、固定金物の平面図と引寄せボルトの位置を説明するための図。ロは、柱と工具の位置を説明するための下方から見た平面図。
【図４】柱の傾斜と引寄せボルト及びナットの姿勢、位置関係を説明するための正面図（正常時）。
【図５】柱の傾斜と引寄せボルト及びナットの姿勢、位置関係を説明するための正面図（傾斜時）。
【図６】柱の傾斜と引寄せボルト及びナットの姿勢、位置関係を説明するための正面図（傾斜が大きい時）。
【符号の説明】
【００２０】
１  引寄せ金物
２  柱
３  土台
４  コンクリート基礎
５  アンカーボルト
６  コーナー金物
７  固定金物
８  引寄せボルト
９  ナット
１０  背板部
１１  係合部
１２  インパクトレンチ（工具）
１３  ソケット
１４  長ナット
１５  ワッシャー
１６  新設のアンカーボルト
１７  段差面
１８  段部
１９  傾斜面
【図１】
0003123534.tif 000003
【図２】
0003123534.tif 000004
【図３】
0003123534.tif 000005
【図４】
0003123534.tif 000006
【図５】
0003123534.tif 000007
【図６】
0003123534.tif 000008